(57)【要約】      （修正有）【課題】キャップを開閉しても塗布液漏れが防止できるコレクター式塗布具を提供する。【解決手段】本発明は、塗布体１８と、塗布体１８を先方に設けた軸体１４と、軸体１４先方部に着脱可能に塗布体１８を覆うキャップ２０と、前記軸体１４内に装着された外周面が櫛歯状のコレクター１６と、前記軸体１４の後方に収容空間１４ａ内に塗布液を収容する収容部１２と、収容部１２の塗布液を前記塗布体１８に誘導する誘導体２２とを備え、塗布体１８に供給する塗布液を前記コレクター１６に一時的に保留するコレクター式塗布具において、軸体の内周とコレクターの外周との隙間が０．０５ｍｍ以下であるコレクター式塗布具である。【選択図】図１
2019118499.tif 000002
【特許請求の範囲】
【請求項１】
塗布体と、塗布体を先方に設けた軸体と、軸体先方部に着脱可能に塗布体を覆うキャップと、前記軸体内に装着された外周面が櫛歯状のコレクターと、前記軸体の後方に収容空間内に塗布液を収容する収容部と、収容部の塗布液を前記塗布体に誘導する誘導体とを備え、塗布体に供給する塗布液を前記コレクターに一時的に保留するコレクター式塗布具において、
軸体の内周とコレクターの外周との隙間が０．０５ｍｍ以下であることを特徴とするコレクター式塗布具。
【請求項２】
コレクターは、その内部に誘導芯を収容して塗布液を流通させるパイプ状部を有し、前記パイプ状部には、内周及び外周間に亘って貫通する孔が形成されていない壁としたことを特徴とする請求項１に記載のコレクター式塗布具。
【請求項３】
前記軸体には、先方部分に塗布体を支持する先軸が装着され、前記先方部分内に前記コレクターが装着され、後方部分に収容部が形成されており、該収容部の収容空間内に塗布液が直液に収容されるものであることを特徴とする請求項１又は２記載のコレクター式塗布具。
【請求項４】
コレクターの後部の外周面と、先軸内壁面とが液密に接していることを特徴とする請求項１から３のうちの１項に記載のコレクター式塗布具。
【請求項５】
塗布体には、コレクター内のパイプ状部に挿通した中芯を介して収容空間内の塗布液が誘導されるものであり、コレクター後端部から収容空間内に中芯が突出していないことを特徴とする請求項１から４のうちの何れか１項記載のコレクター式塗布具。
【発明の詳細な説明】
【技術分野】
【０００１】
本発明は、粘度の低い化粧液を収容したコレクター式塗布具、特にスタイリッシュな外観を重要視するアイライナーに関する。
【背景技術】
【０００２】
従来、コレクター式塗布具は周知の技術であるが、市場の多様性によって持ち運びやデザイン性を重視することから、細身の塗布具が好ましくなっている。
【０００３】
コレクター式塗布具はインクタンクに中綿を用いた塗布具と比較して使い始めから使い終わりまで安定した流出量を得ることができるが、インクの保持量や空気置換を必要とすることからコレクターはある程度の大きさを必要とするため、細身の塗布具としては不適であった。
【０００４】
また、細軸のコレクター式塗布具は、直流漏れや吹き出しの問題がある。また、大型のコレクターにすると塗布量が著しく減少して塗布できる距離が短くなってします。
【０００５】
そこで、外径が細い細軸の塗布具でありながら塗布液漏れの課題の解決を図ったコレクター式の塗布具の提案がある（特開２０１５−２９８４号（特許文献１）参照）。
【先行技術文献】
【特許文献】
【０００６】
【特許文献１】特開２０１５−２９８４号公報
【発明の概要】
【発明が解決しようとする課題】
【０００７】
しかしながら、前記特許文献１のコレクター式塗布具であっても、キャップ開閉によってインクタンク内の内圧に変化が生じる。そのため、キャップの開閉を繰り返すとコレクター内にインクタンク内の液が引っ張られてやがてコレクターに貯留されるインクが多くなり、やがて液漏れの原因となる可能性がある。
【０００８】
そこで、本発明は、キャップを開閉しても塗布液漏れが防止できるコレクター式塗布具を提供することを課題とする。
【課題を解決するための手段】
【０００９】
本発明は、塗布体と、塗布体を先方に設けた軸体と、軸体先方部に着脱可能に塗布体を覆うキャップと、前記軸体内に装着された外周面が櫛歯状のコレクターと、前記軸体の後方に収容空間内に塗布液を収容する収容部と、収容部の塗布液を前記塗布体に誘導する誘導体とを備え、塗布体に供給する塗布液を前記コレクターに一時的に保留するコレクター式塗布具において、
軸体の内周とコレクターの外周との隙間が０．０５ｍｍ以下であることを特徴とするコレクター式塗布具である。
【００１０】
本発明において、コレクターは、その内部に誘導芯を収容して塗布液を流通させるパイプ状部とパイプ状部周囲の枚葉体とを有し、前記パイプ状部には、内周及び外周間に亘って貫通する孔が形成されていない壁としたことが好適である。
【００１１】
本発明において、前記軸体には、先方部分に塗布体を支持する先軸が装着され、前記先方部分内に前記コレクターが装着され、後方部分に収容部が形成されており、該収容部の収容空間内に塗布液が直液に収容されるものであることが好適である。
【００１２】
本発明において、コレクターの後部の外周面と、先軸内壁面とが液密に接していることが好適である。
【００１３】
本発明において、塗布体には、コレクター内のパイプ状部に挿通した中芯を介して収容空間内の塗布液が誘導されるものであり、コレクター後端部から収容空間内に中芯が突出していないことが好適である。
【発明の効果】
【００１４】
本発明の塗布具によれば、コレクター式塗布具において、空気置換路（空気置換孔）となる軸体の内周とコレクターの外周との隙間を０．０５ｍｍ以下とすることによって、空気置換路の隙間が狭くメニスカスを強めて、前記空気置換路に収容部からの塗布液が流れ込んでも、狭い隙間で液膜ができ易くしている。これにより、キャップ開閉時の繰り返しで収容部内の内圧変化が生じ（内圧が上がる等し）た状態で、ポンピングによってコレクター内に塗布液が引かれても、前記の狭い隙間でメニスカスが強いので、隙間に塗布液が捕捉されて液膜ができ、塗布液がそれ以上コレクターに流れ込むのを防止できる。キャップ開閉のポンピングの影響を受けにくくでき、コレクター式キャップを開閉しても塗布液漏れが防止できる。
【００１５】
なお、本発明において、コレクターは、その内部に誘導芯を収容して塗布液を流通させるパイプ状部を有し、前記パイプ状部には、内周及び外周間に亘って貫通する孔が形成されていない壁としたことによりキャップ開閉時でも孔の無いパイプ状部によって空気置換路への圧力変化を伝えないため、内部の誘導芯を通した収容部の内圧変化を防止できる。したがって、キャップ開閉のポンピングの影響を受けがたくなり、液漏れが発生しなくなる。これにより、キャップをスプリング式インナーキャップとしなくても製品化が可能となる。
【図面の簡単な説明】
【００１６】
【図１】本発明の実施形態に係るコレクター式塗布具の説明図であって、（ａ）が正面図、（ｂ）が全体縦断面図、（ｃ）が（ｂ）から周方向に９０度回転させた全体縦断面図である。
【図２】図１（ｃ）のＤで示す箇所の拡大図である。
【図３】図１のコレクター式塗布具におけるコレクターの部品図であって、（ａ）が先方からの視図、（ｂ）がスリット側から見た側面図、（ｃ）が（ｂ）から周方向に９０度回転させて見た側面図、（ｄ）が（ａ）のＤ−Ｄ線に沿う縦断面図である。
【図４】比較例に係るコレクター式塗布具の説明図であって（ａ）がコレクターの縦断面図、（ｂ）がコレクター後端付近の拡大図である。
【発明を実施するための形態】
【００１７】
本発明の実施形態について、図面を参照して以下に説明する。
【００１８】
図１は本発明の実施形態に係るコレクター式塗布具の全体説明図、図２は該コレクター式塗布具のコレクターの一部拡大図、図３は同コレクター式塗布具のコレクターの部品図、図６はコレクターの斜視図である。
【００１９】
図１に示すように、実施形態に係るコレクター式塗布具は、先方に塗布体（筆記部）１８を設けた先軸１０及び軸本体１２を組み合わせた軸体１４と、軸体１４の先方部に着脱可能に塗布体１８を覆うキャップ２０と、前記軸体１４内に装着された、外周面が櫛歯状のコレクター１６と、前記軸体１４の後方に収容空間１４ａ内に塗布液を収容する軸本体１２（収容部）と、収容空間１４ａ内の塗布液を前記塗布体に誘導する中芯（誘導体）２２とを備え、塗布体１８に供給する塗布液を前記コレクター１６に一時的に保留するコレクター式塗布具において、前記軸体１４の内周とコレクター１６の外周との隙間が０．０５ｍｍ以下であるコレクター式塗布具である。
【００２０】
具体的には、前記軸体１４は、先軸１０と該先軸１０の後部側が軸本体１２に嵌合したものであり、軸体１４の前部に枚葉部（フィン又は蛇腹部とも称する）が軸方向に複数配列された態様の櫛歯状に形成されたコレクター１６が配置され、軸体１４の後部の収容空間１４ａ内に塗布液が収容されるコレクター式塗布具である。
【００２１】
前記軸体１４には、先方部分に塗布体１８を支持する先軸１０が装着され、前記先方部分内に前記コレクター１６が装着され、後方部分に軸本体１２（収容部に相当）の収容空間１４ａが形成されており、該軸本体１２の収容空間１４ａ内に塗布液が直液に収容されるものである。
【００２２】
前記軸体１４の後部の軸本体１２は、内部が連通し前後に開口した概略パイプ状に形成されている。前記軸体の後部でもある軸本体１２の後部には、尾栓１４ｂが嵌合して軸本体１２の後部が閉鎖されている。軸本体１２の中ほどに仕切り壁１４ｄが形成され、該仕切り壁１４ｄの前面とコレクター１６後端とで挟まれた軸体１４内空間（軸本体１２内空間でもある）が収容空間１４ａになっている。収容空間１４ａのある軸体１４の部分が収容部である。
【００２３】
この収容空間１４ａ内には、中綿等の含浸体を配置せず、直接塗布液が収容されており、また、該塗布液の攪拌をするための攪拌体（ボール等）１４ｃが配置されている。
【００２４】
塗布液は、少なくとも、カーボンブラックと、水と、皮膜形成性樹脂からなる分散剤０．５〜５質量％と、皮膜形成剤２〜１５質量％（固形分換算）と、界面活性剤０．５重量％以下とを含有し、かつ、ＥＬＤ型粘度計による温度２５℃、ずり速度３．８３Ｓ−１での粘度が２〜８ｍＰａ・ｓの範囲であることを特徴とするものである。
【００２５】
前記カーボンブラックは、色材として用いるものであり、黒色系の液体化粧料の色材として通常使用されているカーボンブラックであれば、特に限定されず、各種のカーボンブラックを用いることができる。
このカーボンブラックの含有量は、液体化粧料全量に対して、１〜２０質量％が好ましく、更に好ましくは、５〜１５質量％である。このカーボンブラックの含有量が１質量％未満では、発色が薄くて化粧料として不十分となり、一方、２０質量％を超えると、粘度が高くなり過ぎて、本発明の中綿式やコレクター式などの液体化粧料塗布具では液がスムーズに吐出されなくなり、好ましくない。
【００２６】
前記分散剤は、皮膜形成性樹脂からなるものであり、色材であるカーボンブラックの分散性を向上させると共に、皮膜形成の樹脂としても機能するものである。
用いることができる分散剤としては、上記機能を有するものであれば、特に限定されず、例えば、アクリル酸、メタクリル酸あるいはこれらのアルキルエステル又は誘導体、酢酸ビニル、ビニルピロリドンの中の１種又は２種以上から選択されるものからなる共重合体や、ベタイン型アルキル酸系両性樹脂などが挙げられ、好ましくは、カーボンブラックの更なる分散性能の点から、アクリル酸、メタクリル酸あるいはそれらのアルキルエステル又は誘導体中から選ばれる１種と酢酸ビニルとの共重合体、ビニルピロリドンと酢酸ビニルとの共重合体、アクリル酸、メタクリル酸あるいはそれらのアルキルエステルの１種以上とオクチルアクリルアミドとの共重合体が望ましく、特に好ましくは、更なる分散性能、皮膜形成能の点から、アクリル酸、メタクリル酸あるいはそれらのアルキルエステルの１種以上とオクチルアクリルアミドとの共重合体である。
【００２７】
これらの分散剤の含有量は、液体化粧料全量に対して、０．５〜５質量％が好ましく、更に好ましくは、２〜４質量％である。
この分散剤の含有量が０．５質量％未満では、色材であるカーボンブラックの分散安定性が不十分となり、一方、５質量％を超えて含有すると、粘度が高くなり過ぎて分散安定性の向上は見られず、経済的でない。
【００２８】
本発明に用いる皮膜形成剤としては、例えば、アクリル酸、メタクリル酸あるいはそれらのアルキルエステル又は誘導体、スチレン、酢酸ビニルの中の１種又は２種以上のモノマーから選択されてなる共重合体のエマルジョン樹脂が挙げられる。
本発明において、上記分散剤も皮膜形成性樹脂からなるものであり、上記分散剤との相違は、可溶性樹脂と、エマルジョン樹脂の点で異なるものであり、エマルジョン樹脂はモノマーを重合溶媒としての水の中で乳化重合させて得られた水懸濁液である。本発明におけるカーボンブラックの分散において、エマルジョン樹脂よりも可溶性樹脂の方が安定したカーボンブラックの分散液が得られている。この点で分別して使用するものである。
【００２９】
皮膜形成剤（エマルジョン樹脂）の含有量は、固形分（樹脂分）換算で液体化粧料全量に対して、２〜１５質量が好ましく、更に好ましくは、２〜１０質量％とすることが望ましい。
これらの皮膜形成剤（エマルジョン樹脂）の含有量が、固形分（樹脂分）換算で２質量％未満では、耐水性能が悪く、一方、固形分（樹脂分）換算で１５質量％を超えて含有すると液体化粧料塗布具の塗布部（筆穂やペン芯等）が乾燥して塗布不能になる不具合が発生することがあり、好ましくない。
なお、これら皮膜形成剤（エマルジョン樹脂）の安定化に、界面活性剤が使用されることもあるが、これらに配合されている界面活性剤については、本願発明の固着性に関する影響は少ないので、含有量には、考慮しないものとする。
【００３０】
本発明で用いる界面活性剤は、カーボンブラックの分散に関して、分散補助として機能させるものであり、例えば、ノニオン系界面活性剤、アニオン系面活性剤、カチオン系界面活性剤が挙げられ、レシチン、プロピレングリコール脂肪酸エステル、グリセリン脂肪酸エステル、ポリグリセリン脂肪酸エステルの他、ポリオキシエチレンアルキルエーテル、ポリオキシエチレンポリオキシプロピレンアルキルエーテル、ポリオキシエチレンアルキルエーテル燐酸・リン酸塩、ポリエチレングリコール脂肪酸エステル、アルキル硫酸塩、スルホン酸塩、ポリオキシエチレンアルキルエーテル硫酸塩などの１種又は２種以上の混合物が挙げられる。
【００３１】
これらの界面活性剤の含有量は、液体化粧料全量に対して、０．５質量％以下が好ましく、更に好ましくは、０〜０．３質量％とすることが望ましい。
この界面活性剤の含有量が０．５重量％を超えて含有すると、耐水性に劣り、充分な固着力を得ることができなくなり、好ましくない。
【００３２】
本発明の液体化粧料は、水（精製水、蒸留水、イオン交換水、純水、超純水等を含む）を溶媒とする。この水の含有量は、上記各成分、後述する任意成分を含有した残部となる。
更に、本発明の液体化粧料には、前記各必須成分等の他に、通常の液体化粧料に用いられる任意成分などを含有せしめることができる。具体的には、防腐剤、酸化防止剤、中和剤、紫外線吸収剤、キレート剤、保湿剤、美容成分、香料、粘度調整剤などを、本発明の効果を損なわない範囲で適宜量含有せしめることができる。
【００３３】
本発明の液体化粧料は、ＥＬＤ型粘度計による温度２５℃、ずり速度３．８３Ｓ−１での粘度が２〜８ｍＰａ・ｓの範囲とするものであり、特に好ましくは、３ｍＰａ・ｓ〜６ｍＰａ・ｓとすることが望ましい。
この粘度値が２ｍＰａ・ｓ未満では、液がしわ等に流れ、にじみの原因となり、一方、８ｍＰａ・ｓを超えると粘度が高いため、本発明の塗布手段として筆穂又はペン芯を用いる液体化粧料塗布具に内蔵される液体化粧料では液がスムーズに吐出されなくなり、好ましくない。なお、粘度測定条件（後述する実施例等も含む）は、具体的には、トキメック社製、ＥＬＤ型粘度計標準コーンローター１ｒｐｍにおける温度２５℃、ずり速度３．８３（Ｓ−１）で測定した値を意味する。
【００３４】
先軸１０、軸本体１２、コレクター１６、キャップ２０等は樹脂成形品とすることができる。また、攪拌体１４ｃは、金属製、樹脂製等のボール材を用いることができる。
【００３５】
前記コレクター１６は、先軸１０及び軸本体１２の軸体１４によって覆われて保持される構造である。
【００３６】
そして、先軸１０の前端部の開口から、先細のテーパ状を呈した筆体からなる塗布体１８が突出しており、その塗布体１８を覆うキャップ２０が前記先軸１０に着脱自在に嵌合する構造である。前記先軸１０はほぼ円錐側面形状を呈して先細く形成されており、該先軸１０の先端角度は、塗布体１８の先端角度と略同角度に形成することが望ましい。
【００３７】
塗布体１８は、樹脂繊維、天然繊維束、樹脂製多孔質体からなる先細の筆体である。塗布体１８は、後端部がフランジ状に拡径しており、この拡径した箇所が先軸１０内に係合して抜け止めされている。なお、塗布体１８は、筆体が好適であるが、その他、塗布液を塗布する各種塗布体を使用することができる。また、塗布体１８の最先端部を塗布体の軸線、所謂中心線から外れた位置に配されると共に、前記軸線を挟んで前記最先端部の反対側に位置する端部と前記最先端部とを結ぶ側部稜線を有し、前記側部稜線が塗布体１８の軸線に対して、９０度未満の所定の角度、好ましくは６０度〜８０度に斜めに形成することで、細い線から太い線まで描くことができる。
【００３８】
キャップ２０内には、塗布体１８の気密性を高めるため覆うカップ状のインナーキャップ２０ａが前後動可能に配置され、このインナーキャップ２０ａを後方に付勢するスプリング２０ｂが配置されている。
【００３９】
中空の先細く形成された先軸１０の内部には、塗布体１８の後方に、図３に示すように複数の枚葉体を配列した蛇腹状のコレクター１６が配設されており、このコレクター１６の中空部１６ｄ内に中芯（誘導芯に相当）２２が貫通して配置されている。中芯２２は、樹脂繊維束、天然繊維束、樹脂製多孔質体等の毛管部材から構成できる。
【００４０】
中芯２２においては、コレクター１６の後端部から軸体１４の収容空間１４ａ内に中芯２２が突出していない。コレクター１６の後端面に中芯２２の後端面がほぼ一致している。中芯２２を一致させることで、収容空間１４ａ内に中芯２２の後端が突出することが無く、収容空間１４ａ内の容積を確保することができる。また、収容空間１４ａ内に中芯２２の後端が突出することが無いので、攪拌体１４ｃが収容空間１４ａ内に設けた場合、攪拌体１４ｃが収容空間１４ａ内で動いても中芯２２に衝突せず中芯２２を変形させること無いので、十分に塗布液を浸透することができる。
【００４１】
先軸１０の外周面には、前端部がテーパ形状で、中央部にキャップ２０嵌着時の位置決め用のフランジ１０ａが外径方向に突出形成され、フランジ１０ａの前方にキャップ２０嵌着用の凹凸部が、後方に軸本体１２嵌着用の凹凸部が形成されている。また、先軸１０の凹凸部の前方には、周面を内外に貫通する空気置換孔１０ｂが穿設形成されている。
【００４２】
コレクター１６は、図３に示すように、軸方向の前部には、前端に椀状部１６ａが形成される。また、コレクター１６において、該軸方向の前部から中央部には、複数の櫛歯状のフィンが間隙を置いて配列された前側一時貯留部１６ｂが形成される。また、前記コレクター１６の前記軸方向の後部には、後側一時貯留部１６ｃが形成されている。
【００４３】
前記コレクター１６には、その軸方向に前側一時貯留部１６ｂ及び後側一時貯留部１６ｃはコレクター１６の軸方向に適宜間隔で枚葉体よりも厚板の支持壁２８が形成されている。
【００４４】
また、コレクター１６内には中芯２２が設けられる。実施形態では、コレクター１６の軸中心付近に筒状で孔の無い壁部のパイプ状部１６ｅが形成されており、そのパイプ状部１６ｅ内にその軸中心を貫通する中空部１６ｄを有して形成されている。
【００４５】
この中空部１６ｄをパイプ状部１６ｅの壁部外周に塗布液一時貯留用のフィン（前側一時貯留部１６ｂ及び後側一時貯留部１６ｃ）が外径方向に展開する複数の薄板状に形成された枚葉体である。
【００４６】
コレクター１６は、その内部の軸中心部付近に塗布液を流通させる中芯２２をパイプ状部１６ｅ内側の中空部１６ｄに装着するものである。このパイプ状部１６ｅの外周には、櫛歯状をなす複数の櫛歯である前記フィン（前側一時貯留部１６ｂ及び後側一時貯留部１６ｃ）を有し、前記パイプ状部１６ｅには、内周及び外周間に亘って壁を貫通する孔が形成されていない無孔壁状のものである。
【００４７】
塗布体１８には、コレクター１６内のパイプ状部に挿通した中芯を介して収容空間内の塗布液が誘導されるものであり、コレクター１６後端部から収容空間１４ａ内に中芯が突出していない。
【００４８】
実施形態に係るコレクター式塗布具では、前記コレクター１６の後部の外周面と、先軸内壁面とが液密に接している。詳しくは、図３に拡大して示すように、前記コレクター１６には、その後側一時貯留部１６ｃの後部における枚葉体の外周部と軸体１４の内周、具体的な軸本体１２の内周と後側一時貯留部１６ｃの外周との隙間δが０．０５（ｍｍ）以下である。
【００４９】
そして、コレクター１６の後側一時貯留部１６ｃが後端の支持壁２８外周が軸本体１２内面の凹所１４ｅにはまり込んで固定されている。
【００５０】
コレクター１６には、前側一時貯留部１６ｂから後側一時貯留部１６ｃにかけて、塗布液をフィン間隙内に誘導するための前記のインク縦溝（スリット）２６が、後端部に露出して（軸体１４の収容空間１４ａ内に露出可能に）形成されている。
【００５１】
また、前側一時貯留部１６ｂ及び後側一時貯留部１６ｃにおける複数枚毎のフィン同士の間には、先軸１０の内面に当接する厚肉の支持壁２８で適宜に仕切られている。
【００５２】
具体的には、前側一時貯留部１６ｂ及び後側一時貯留部１６ｃのフィンの枚数は、全体で４０〜６０枚で、そのうち、前側一時貯留部１６ｂが比率７５〜８５％で、後側一時貯留部１６ｃの比率が１５〜２５％の枚数とする。フィン同士の間隔は、０．１５〜０．３ｍｍとすることができる。
【００５３】
また、収容空間１４ａ内に収容可能量が０．７（ｍｌ）となっている。軸体１４の外径８．５（ｍｍ）コレクター１６の径６．０（ｍｍ）となっている。
【００５４】
前記の前側一時貯留部１６ｂは、前記椀状部１６ａと同径に形成され、図３に示すように、先軸１０内に嵌入している。また、前記後側一時貯留部１６ｃは、前側一時貯留部１６ｂよりも外径が大径に形成され、図３に示すように、先軸１０の後端から突出した位置に形成され、図１等に示されるよう、軸本体１２の内壁面に隣接するように配置されている。
【００５５】
ここで、図４は、比較例に係るコレクター式塗布具のコレクター１６０の説明図である。（ａ）にコレクター１６０の縦断面図を示し、（ｂ）に塗布部のコレクター１６０後部周辺の拡大図を示す。
【００５６】
図４に示すように、比較例のコレクター１６０の後側一時貯留部１６０ｃは、（ア）軸本体１２の内周と後側一時貯留部１６０ｃの外周との隙間ｄが０．０６（ｍｍ）以上の０．２（ｍｍ）である。
【００５７】
また、比較例では、（イ）コレクター１６０のパイプ状部１６０ｅでは、内周の中空部１６０ｄから外周に貫通した孔ｅが形成されている。なお、比較例のコレクター１６０は、上記（ア）、（イ）以外の部分は図１〜図３の実施形態のものと同様であり、同様の符号を付している。
【００５８】
実施形態と比較例の各コレクターを比較する。
【００５９】
空気置換孔（空気置換路）はコレクター１６が軸体１４の内周に嵌めつけられている部分のスリット２６からコレクター１６の外周部と軸体１４との間に隙間が空気置換孔になる。実施形態に係るコレクター１６では、図２に示すように、後側一時貯留部１６ｃの羽根の外径を拡げて軸体１４の内部との隙間δを０．０５（ｍｍ）以下と空気置換孔を狭くしている。
【００６０】
これに対して、比較例では、隙間ｄが０．２（ｍｍ）程度と隙間が大きい。
【００６１】
実施形態のコレクター１６では、図２に示すように、空気置換孔（コレクター１６の後端付近、具体的にはスリット２６の収容空間１４ａへの開口部）直下のメニスカスを高めて、キャップ２０の開閉による内圧変化の影響を受けにくくしている。つまり、後側一時貯留部１６ｃの外周と軸体１４の内部との隙間δを０．０５（ｍｍ）以下とすることによって塗布液がその部分に付着して液膜ができ易くすることでキャップ２０開閉のポンピング効果を減少させている。塗布液吹き出しの防止できるためインナーキャップを不要にできる。
【００６２】
これに対して、比較例では、隙間ｄが０．２（ｍｍ）程度と隙間が大きいので塗布液が付着しにくく液膜ができにくいので、キャップ２０開閉のポンピング効果の減少が難しい。
【００６３】
しかも比較例では、コレクター１６０のパイプ状部１６０ｅには、孔ｅが形成されているため、コレクター周囲の空気置換孔から孔ｅを通じて中空部１６０ｄを経由して収容空間１４ａ内にキャップ２０開閉時のポンピングによる圧力変動が影響して吹き出しの可能性があるが、実施形態の塗布具では、孔ｅが無いパイプ状部１６ｅであるため、ポンピング時の圧力変動の影響が無い。
【００６４】
実施例と比較例をさらに詳細に示したものを以下の表１として示す。
【表１】
2019118499.tif 000003
これはキャップの着脱を繰り返した回数と隙間δとの関係を示したものである。
評価基準としては、
Ａ  外観上でも問題無し
Ｂ  コレクターへの塗布液の侵入が見られるが機能上問題無し
Ｃ  塗布部先端から塗布液が漏れ出す
とした。
なお、実施形態に係るコレクター式塗布具に用いた塗布液（化粧料）は
カーボンブラック  １０重量％
（分散剤）ビニルピロリドン・アクリル酸ジメチルアミノプロピルアクリルアミド共重合体  ３重量％
（被膜形成剤）アクリル酸アルキル共重合体エマルジョン  １５重量％
（中和剤）アミノメチルプロパノール  ０．３重量％
（キレート剤）エデト酸二ナトリウム  ０．３重量％
（保湿剤）１，３−ブチレングリコール  ８重量％
（防腐剤）メチルパラベン  ０．４重量％
（防腐剤）デヒドロ酢酸ナトリウム  ０．１重量％
精製水  残部
粘度  ５ｍＰａ・ｓ：ＥＬＤ型粘度計標準コーンローター１ｒｐｍ、温度２５℃、ずり速度３．８３（Ｓ−１）
である。
【００６５】
以上の実施形態に係るコレクター式塗布具によれば、空気置換路（空気置換孔）となる軸体１４の内周とコレクター１６の外周との隙間δを０．０５ｍｍ以下とすることによって、空気置換路の隙間が狭くメニスカスを強めて、前記空気置換路に収容空間１４ａからの塗布液が流れ込んでも、狭い隙間で液膜ができ易くしている。これにより、キャップ開閉時の繰り返しで収容空間１４ａ内の内圧変化が生じ（内圧が上がる等し）た状態で、ポンピングによってコレクター１６内に塗布液が引かれても、前記の狭い隙間でメニスカスが強いので、隙間δに塗布液が捕捉されて液膜ができ、塗布液がそれ以上コレクター１６に流れ込むのを防止できる。キャップ２０開閉のポンピングの影響を受けにくくでき、コレクター式キャップを開閉しても塗布液漏れが防止できる。
【００６６】
なお、本発明において、コレクター１６は、その内部に誘導芯の中芯２２を収容して塗布液を流通させるパイプ状部１６ｅを有し、前記パイプ状部１６ｅには、内周及び外周間に亘って貫通する孔が形成されていない壁としたことによりキャップ２０開閉時でも孔の無いパイプ状部１６ｅによって空気置換路への圧力変化を伝えないため、内部の中芯２２を通した収容空間１４ａの内圧変化を防止できる。したがって、キャップ２０開閉のポンピングの影響を受けがたくなり、液漏れが発生しなくなる。これにより、キャップをスプリング式インナーキャップとしなくても製品化が可能となる。
【００６７】
実施形態により、細軸にしても従来の太軸と同様の性能を有するコレクター式塗布具、特にアイライナーを実現できる。アイライナーとした場合、スタイリッシュな外観を備え、コレクター式にすることで使い終わりまで濃く、クッキリとしたアイラインを描くことができる。
【００６８】
また、前記実施形態では、図２に示すように、後側一時貯留部１６ｃの羽根の外径を拡げて軸体１４の内部との隙間δを０．０５（ｍｍ）以下と空気置換孔を狭くすることによって、後側一時貯留部１６ｃという収容部（収容空間）にスリット２６が開口する位置に近い位置で隙間δを作ってメニスカスを強くして、塗布液の引き込みによる液漏れを防止していたが、隙間の位置は後側のみならず、中程や前側でもよい。
【産業上の利用可能性】
【００６９】
本発明は一般の塗布具でも利用可能だが、特に粘度の低いアイライナー液などに利用することができる。
【符号の説明】
【００７０】
１０  先軸
１２  軸本体
１４  軸体
１４ａ  収容空間
１４ｅ  凹所
１６  コレクター
１６  前側一時貯留部
１６  コレクター
１６ｂ  前側一時貯留部
１６ｃ  後側一時貯留部
１６ｄ  中空部
１６ｅ  パイプ状部
１８  塗布体
２０  キャップ
２２  中芯
２６  スリット
２８  支持壁
δ  隙間
【図１】
2019118499.tif 000004
【図２】
2019118499.tif 000005
【図３】
2019118499.tif 000006
【図４】
2019118499.tif 000007